(57)【特許請求の範囲】
【請求項１】
オーディオデータを記憶装置に記憶するオーディオ装置であって、
ユーザが聴き取り可能な最大周波数および最小周波数の少なくとも一方を含むユーザプロファイル情報を記憶するプロファイル情報記憶手段と、
記憶対象のオーディオデータの入力を受け付けるオーディオ入力手段と、
前記オーディオ入力手段にオーディオデータが入力された場合に、前記プロファイル情報記憶手段に記憶されているユーザプロファイル情報に前記最大周波数が含まれているならば、当該入力されたオーディオデータから当該最大周波数より高い周波数帯域をカットするとともに、前記プロファイル情報記憶手段に記憶されているユーザプロファイル情報に前記最小周波数が含まれているならば、当該入力されたオーディオデータから当該最小周波数より低い周波数帯域をカットする帯域カット手段と、
前記帯域カット手段により帯域カットされたオーディオデータを前記記憶装置に記憶するオーディオ記憶制御手段と、
設定された周波数帯域を所定数に分割することにより得られる周波数帯域毎に、入力されたオーディオデータのレベルを調整するレベル調整手段と、
前記レベル調整手段によりレベル調整されたオーディオデータを出力するオーディオ出力手段と、
ユーザから、前記記憶装置に記憶されているオーディデータの指定を伴う再生操作を受け付けるための再生操作受付手段と、を有し、
前記オーディオ記憶制御手段は、
前記再生操作受付手段によりユーザから前記再生操作を受け付けた場合に、当該再生操作で指定されたオーディオデータを前記記憶装置から読み出して、前記レベル調整手段に出力し、
前記レベル調整手段は、
前記オーディオ記憶制御手段からオーディオデータを受け取った場合に、前記プロファイル情報記憶手段に記憶されているユーザプロファイル情報に前記最大周波数が含まれているならば、当該最大周波数を、前記設定された周波数帯域の最大値に設定し、当該最大周波数が含まれていないならば、所定の第一基準周波数を、前記設定された周波数帯域の最大値に設定するとともに、前記プロファイル情報記憶手段に記憶されているユーザプロファイル情報に前記最小周波数が含まれているならば、当該最小周波数を、前記設定された周波数帯域の最小値に設定し、当該最小周波数が含まれていないならば、前記第一基準周波数よりも低い所定の第二基準周波数を、前記設定された周波数帯域の最小値に設定する
ことを特徴とするオーディオ装置。
【請求項２】
請求項１に記載のオーディオ装置であって、
ユーザから、前記記憶装置に記憶されているオーディデータの指定を伴う更新操作を受け付けるための更新操作受付手段をさらに有し、
前記オーディオ記憶制御手段は、
前記更新操作受付手段によりユーザから前記更新操作を受け付けた場合に、当該更新操作で指定されたオーディオデータを前記記憶装置から読み出して前記帯域カット手段に出力するとともに、前記記憶装置に記憶され、かつ当該更新操作で指定されたオーディオデータを、前記帯域カット手段により帯域カットされたオーディオデータに更新し、
前記帯域カット手段は、
前記オーディオ記憶制御手段からオーディオデータを受け取った場合に、前記プロファイル情報記憶手段に記憶されているユーザプロファイル情報に前記最大周波数が含まれているならば、当該受け取ったオーディオデータから当該最大周波数より高い周波数帯域をカットするとともに、前記プロファイル情報記憶手段に記憶されているユーザプロファイル情報に前記最小周波数が含まれているならば、当該受け取ったオーディオデータから当該最小周波数より低い周波数帯域をカットする
ことを特徴とするオーディオ装置。
【請求項３】
請求項１または２に記載のオーディオ装置であって、
ユーザから可聴範囲検出試験の開始操作を受け付けるための試験操作受付手段と、
前記試験操作受付手段により前記可聴範囲検出試験の開始操作を受け付けた場合に、周波数の異なるオーディオ試験信号を周波数の高い順あるいは低い順に出力し、前記ユーザから各オーディオ試験信号の聴き取り可否を受け付けることにより、当該ユーザが聴き取り可能な最大周波数および最小周波数の少なくとも一方を検出する可聴範囲検出試験手段と、
前記可聴範囲検出試験手段により検出された最大周波数および最小周波数の少なくとも一方を含むユーザプロファイル情報を前記プロファイル情報記憶手段に記憶するプロファイル情報記憶制御手段と、をさらに有する
ことを特徴とするオーディオ装置。
【請求項４】
コンピュータで読み取り可能なプログラムであって、
前記プログラムは、前記コンピュータを、
ユーザが聴き取り可能な最大周波数および最小周波数の少なくとも一方を含むユーザプロファイル情報を記憶するプロファイル情報記憶手段、
記憶対象のオーディオデータの入力を受け付けるオーディオ入力手段、
前記オーディオ入力手段にオーディオデータが入力された場合に、前記プロファイル情報記憶手段に記憶されているユーザプロファイル情報に前記最大周波数が含まれているならば、当該入力されたオーディオデータから当該最大周波数より高い周波数帯域をカットするとともに、前記プロファイル情報記憶手段に記憶されているユーザプロファイル情報に前記最小周波数が含まれているならば、当該入力されたオーディオデータから当該最小周波数より低い周波数帯域をカットする帯域カット手段、
前記帯域カット手段により帯域カットされたオーディオデータを記憶装置に記憶するオーディオ記憶制御手段、
設定された周波数帯域を所定数に分割することにより得られる周波数帯域毎に、入力されたオーディオデータのレベルを調整するレベル調整手段、
前記レベル調整手段によりレベル調整されたオーディオデータを出力するオーディオ出力手段、および
ユーザから、前記記憶装置に記憶されているオーディデータの指定を伴う再生操作を受け付けるための再生操作受付手段と、として機能させ、
前記オーディオ記憶制御手段は、
前記再生操作受付手段によりユーザから前記再生操作を受け付けた場合に、当該再生操作で指定されたオーディオデータを前記記憶装置から読み出して、前記レベル調整手段に出力し、
前記レベル調整手段は、
前記オーディオ記憶制御手段からオーディオデータを受け取った場合に、前記プロファイル情報記憶手段に記憶されているユーザプロファイル情報に前記最大周波数が含まれているならば、当該最大周波数を、前記設定された周波数帯域の最大値に設定し、当該最大周波数が含まれていないならば、所定の第一基準周波数を、前記設定された周波数帯域の最大値に設定するとともに、前記プロファイル情報記憶手段に記憶されているユーザプロファイル情報に前記最小周波数が含まれているならば、当該最小周波数を、前記設定された周波数帯域の最小値に設定し、当該最小周波数が含まれていないならば、前記第一基準周波数よりも低い所定の第二基準周波数を、前記設定された周波数帯域の最小値に設定する
ことを特徴とするコンピュータで読み取り可能なプログラム。
【発明の詳細な説明】
【技術分野】
【０００１】
本発明は、オーディオデータを記憶装置に記憶するオーディオ装置、あるいは記憶装置に記憶されたオーディオデータをネットワーク経由で送信するオーディオ装置に関する。
【背景技術】
【０００２】
従来、ＣＤプレーヤ等から出力されたオーディオデータをエンコードしてメモリカード等の記憶装置に記憶したり、記憶装置に記憶されたオーディオデータをデコードしてスピーカから再生したりするオーディオ装置が知られている（例えば特許文献１参照）。
【先行技術文献】
【特許文献】
【０００３】
【特許文献１】特開２００１−２８３５２１号
【発明の概要】
【発明が解決しようとする課題】
【０００４】
一般に、ＣＤ−ＤＡ等のオーディデータには、２０Ｈｚ〜２０ｋＨｚの可聴周波数帯域のデータが用いられている。
【０００５】
しかしながら、実際に聴き取り可能な周波数帯域は、個人によって異なる。例えば、老人は、高周波数帯域の音を聴き取り難い傾向にある一方、若者は、低周波数帯域の音を聴き取り難い傾向にある。従来のオーディオ装置は、このような実際に聴き取り可能な周波数帯域の個人による違いを考慮せずに、２０Ｈｚ〜２０ｋＨｚの可聴周波数帯域を一律に取り扱っている。このため、オーディオデータを記憶するメモリカード等の記憶装置の記憶容量を効率的に活用できていない。また、再生したオーディオを無線ＬＡＮ等のネットワーク経由でネットワークスピーカ、携帯端末等の送信先に送信する場合、ネットワークの通信帯域を効率的に活用できていない。
【０００６】
本発明は上記事情に鑑みてなされたものであり、その目的は、オーディオデータを記憶する記憶装置の記憶容量を効率的に活用することのできるオーディオ装置を提供することにある。また、本発明の他の目的は、オーディオデータの送信に利用するネットワークの通信帯域を効率的に活用することのできるオーディオ装置を提供することにある。
【課題を解決するための手段】
【０００７】
上記課題を解決するために、本発明の一態様では、記憶対象のオーディオデータから、ユーザが聴き取り可能な最大周波数より高い周波数帯域およびユーザが聴き取り可能な最小周波数より低い周波数帯域のうちの少なくとも一方をカットして、記憶対象のオーディオデータを圧縮する。それから、この圧縮した記憶対象のオーディオデータをメモリカード等の記憶装置に記憶する。
【０００８】
例えば、本発明の一態様は、オーディオデータを記憶装置に記憶するオーディオ装置であって、
ユーザが聴き取り可能な最大周波数および最小周波数の少なくとも一方を含むユーザプロファイル情報を記憶するプロファイル情報記憶手段と、
記憶対象のオーディオデータの入力を受け付けるオーディオ入力手段と、
前記オーディオ入力手段にオーディオデータが入力された場合に、前記プロファイル情報記憶手段に記憶されているユーザプロファイル情報に前記最大周波数が含まれているならば、当該入力されたオーディオデータから当該最大周波数より高い周波数帯域をカットするとともに、前記プロファイル情報記憶手段に記憶されているユーザプロファイル情報に前記最小周波数が含まれているならば、当該入力されたオーディオデータから当該最小周波数より低い周波数帯域をカットする帯域カット手段と、
前記帯域カット手段により帯域カットされたオーディオデータを前記記憶装置に記憶するオーディオ記憶制御手段と、
設定された周波数帯域を所定数に分割することにより得られる周波数帯域毎に、入力されたオーディオデータのレベルを調整するレベル調整手段と、
前記レベル調整手段によりレベル調整されたオーディオデータを出力するオーディオ出力手段と、
ユーザから、前記記憶装置に記憶されているオーディデータの指定を伴う再生操作を受け付けるための再生操作受付手段と、を有し、
前記オーディオ記憶制御手段は、
前記再生操作受付手段によりユーザから前記再生操作を受け付けた場合に、当該再生操作で指定されたオーディオデータを前記記憶装置から読み出して、前記レベル調整手段に出力し、
前記レベル調整手段は、
前記オーディオ記憶制御手段からオーディオデータを受け取った場合に、前記プロファイル情報記憶手段に記憶されているユーザプロファイル情報に前記最大周波数が含まれているならば、当該最大周波数を、前記設定された周波数帯域の最大値に設定し、当該最大周波数が含まれていないならば、所定の第一基準周波数を、前記設定された周波数帯域の最大値に設定するとともに、前記プロファイル情報記憶手段に記憶されているユーザプロファイル情報に前記最小周波数が含まれているならば、当該最小周波数を、前記設定された周波数帯域の最小値に設定し、当該最小周波数が含まれていないならば、前記第一基準周波数よりも低い所定の第二基準周波数を、前記設定された周波数帯域の最小値に設定する。
【発明の効果】
【００１１】
本発明によれば、オーディオデータは、ユーザが聴き取り可能な最大周波数より高い周波数帯域およびユーザが聴き取り可能な最小周波数より低い周波数帯域のうちの少なくとも一方の帯域がカットされて、記憶装置に記憶される。このため、ユーザに音質低下を感じさせることなくオーディオデータを圧縮して記憶装置に記憶できるので、より多くの楽曲等のオーディオデータを記憶装置に記憶することが可能となり、オーディオデータを記憶する記憶装置の記憶容量を効率的に活用することができる。
【図面の簡単な説明】
【００１２】
【図１】図１は、本発明の第一実施の形態に係るオーディオ装置１の概略機能構成図である。
【図２】図２は、オーディオ装置１の可聴範囲検出試験を説明するためのフロー図である。
【図３】図３は、本発明の第二実施の形態に係るオーディオ装置２の概略機能構成図である。
【図４】図４は、オーディオ装置２の可聴範囲検出試験を説明するためのフロー図である。
【発明を実施するための形態】
【００１３】
以下、本発明の実施の形態について、図面を参照して説明する。
【００１４】
［第一実施の形態］
図１は、本発明の第一実施の形態に係るオーディオ装置１の概略機能構成図である。
【００１５】
図示するように、本実施の形態に係るオーディオ装置１は、オーディオ記憶部１００と、操作受付部１０１と、プロファイル情報記憶部１０２と、オーディオ入力部１０３と、フィルタ部１０４と、コーデック部１０５と、イコライザ部１０６と、Ｄ／Ａ変換部１０７と、オーディオ出力部１０８と、可聴範囲検出試験部１０９と、主制御部１１０と、を備えて構成される。
【００１６】
オーディオ記憶部１００には、コーデック部１０５によりエンコードされたオーディオデータが記憶される。
【００１７】
操作受付部１０１は、ユーザから各種操作を受け付ける。図示するように、操作受付部１０１は、オーディオ記憶部１００へのオーディオデータの記憶操作を受け付ける記憶操作受付部１０１０と、オーディオ記憶部１００に記憶されているオーディオデータの更新操作を受け付ける更新操作受付部１０１１と、オーディオ記憶部１００に記憶されているオーディオデータの再生操作を受け付ける再生操作受付部１０１２と、後述の可聴範囲検出試験の操作を受け付ける試験操作受付部１０１３と、を有する。
【００１８】
プロファイル情報記憶部１０２には、ユーザが聴き取り可能な最大周波数および最小周波数の少なくとも一方を含むユーザプロファイル情報が記憶される。
【００１９】
オーディオ入力部１０３は、ＣＤプレーヤ等の他の装置からオーディオ装置１にＣＤ−ＤＡ等のオーディオデータを入力するためのインターフェースである。
【００２０】
フィルタ部１０４は、プロファイル情報記憶部１０２に記憶されているユーザプロファイル情報に従い、オーディオ入力部１０３に入力あるいはコーデック部１０５によりデコードされた処理対象のオーディオデータをフィルタリングして、このオーディオデータから所望の周波数帯域をカットする。
【００２１】
コーデック部１０５は、フィルタ部１０４により処理されたオーディオデータをエンコードする。また、オーディオ記憶部１００より読み出されたエンコード済みのオーディオデータをデコードする。
【００２２】
イコライザ部１０６は、プロファイル情報記憶部１０２に記憶されているユーザプロファイル情報に従い設定される入力レンジの周波数帯域を所定数（分解能により定まる数）に分割することにより得られる周波数帯域毎に、コーデック部１０５によりデコードされたオーディオデータのレベルを調整する。
【００２３】
Ｄ／Ａ変換部１０７は、イコライザ部１０６によりレベル調整されたオーディオデータをアナログオーディオ信号に変換する。
【００２４】
オーディオ出力部１０８は、Ｄ／Ａ変換部１０７によりオーディオデータから変換されたアナログオーディオ信号を、スピーカ、ヘッドホン等に出力する。
【００２５】
可聴範囲検出試験部１０９は、後述の可聴範囲検出試験を行って、ユーザが聴き取り可能な最大周波数および最小周波数の少なくとも一方を検出する。
【００２６】
そして、主制御部１１０は、オーディオ装置１の各部１００〜１０９を統括的に制御する。
【００２７】
つぎに、上記構成のオーディオ装置１の動作を説明する。
【００２８】
まず、オーディオデータの記憶処理の動作を説明する。この動作は、主制御部１１０が、操作受付部１０１の記憶操作受付部１０１０を介してユーザから記憶操作を受け付けることにより開始される。
【００２９】
オーディオ入力部１０３にオーディオデータが入力されると、フィルタ部１０４は、プロファイル情報記憶部１０２に記憶されているユーザプロファイル情報に従い、このオーディオデータをフィルタリングする。具体的には、ユーザが聴き取り可能な最大周波数がユーザプロファイル情報に含まれているならば、オーディオ入力部１０３に入力されたオーディオデータから、この最大周波数より高い周波数帯域をカットする。また、ユーザが聴き取り可能な最小周波数がユーザプロファイル情報に含まれているならば、オーディオ入力部１０３に入力されたオーディオデータから、この最小周波数より低い周波数帯域をカットする。フィルタ部１０４は、フィルタリング済みのオーディオデータをコーデック部１０５に出力し、コーデック部１０５は、フィルタ部１０４から受け取ったオーディオデータをエンコードして主制御部１１０に出力する。これを受けて、主制御部１１０は、コーデック部１０５から受け取ったエンコード済みのオーディオデータをオーディオ記憶部１００に記憶する。
【００３０】
つぎに、オーディオデータの更新処理の動作を説明する。この動作は、主制御部１１０が、操作受付部１０１の更新操作受付部１０１１を介してユーザから、オーディオ記憶部１００に記憶されているエンコード済みのオーディオデータの指定を伴う更新操作を受け付けることにより開始される。
【００３１】
主制御部１１０は、更新操作で指定されたエンコード済みのオーディオデータをオーディオ記憶部１００から読み出してコーデック部１０５に渡す。コーデック部１０５は、主制御部１１０から受け取ったエンコード済みのオーディオデータをデコードして、フィルタ部１０４に渡す。フィルタ部１０４は、デコードされたオーディオデータをコーデック部１０５から受け取ると、プロファイル情報記憶部１０２に記憶されているユーザプロファイル情報に従い、このオーディオデータをフィルタリングする。具体的には、ユーザが聴き取り可能な最大周波数がユーザプロファイル情報に含まれているならば、コーデック部１０５によりデコードされたオーディオデータから、この最大周波数より高い周波数帯域をカットする。また、ユーザが聴き取り可能な最小周波数がユーザプロファイル情報に含まれているならば、コーデック部１０５によりデコードされたオーディオデータから、この最小周波数より低い周波数帯域をカットする。フィルタ部１０４は、フィルタリング済みのオーディオデータをコーデック部１０５に出力し、コーデック部１０５は、フィルタ部１０４から受け取ったオーディオデータを再エンコードして主制御部１１０に出力する。これを受けて、主制御部１１０は、オーディオ記憶部１００に記憶されているオーディオデータのうち、更新操作で指定されたエンコード済みのオーディオデータを、コーデック部１０５から受け取った再エンコード済みのオーディオデータに書き換える。
【００３２】
なお、本実施の形態においては、ユーザが、帯域カットされたオーディオデータに更新すべきオーディオデータを一つずつ指定しているが、ユーザから複数のオーディオデータの指定を受け付けた場合には、これらのオーディオデータを、順次、帯域カットしたオーディオデータに更新してもよい。例えば、オーディオデータフォルダの指定と更新時刻の指定を受け付け、更新時刻の到来により、このフォルダに格納されているすべてのオーディオデータを、帯域カットしたオーディオデータに更新する処理を開始するようにしてもよい。
【００３３】
つぎに、オーディオデータの再生処理の動作を説明する。この動作は、主制御部１１０が、操作受付部１０１の再生操作受付部１０１２を介してユーザから、オーディオ記憶部１００に記憶されているエンコード済みのオーディオデータの指定を伴う再生操作を受け付けることにより開始される。
【００３４】
主制御部１１０は、再生操作で指定されたエンコード済みのオーディオデータをオーディオ記憶部１００から読み出してコーデック部１０５に渡す。コーデック部１０５は、主制御部１１０から受け取ったエンコード済みのオーディオデータをデコードして、イコライザ部１０６に渡す。イコライザ部１０６は、コーデック部１０５からデコードされたオーディオデータを受け取ると、プロファイル情報記憶部１０２に記憶されているユーザプロファイル情報に従い設定される入力レンジの周波数帯域を所定数（分解能により定まる数）に分割することにより得られる周波数帯域毎に、このオーディオデータのレベルを調整する。具体的には、ユーザが聴き取り可能な最大周波数がユーザプロファイル情報に含まれているならば、この最大周波数を入力レンジの最大値に設定し、最大周波数が含まれていないならば、所定の第一基準周波数（例えば２０ｋＨｚ）を入力レンジの最大値に設定する。また、ユーザが聴き取り可能な最小周波数がユーザプロファイル情報に含まれているならば、この最小周波数を入力レンジの最小値に設定し、最小周波数が含まれていないならば、上述の第一基準周波数よりも低い所定の第二基準周波数（例えば２０Ｈｚ）を入力レンジの最小値に設定する。そして、このようにして設定された周波数の最大値および最小値により特定される入力レンジを所定数に分割することにより得られる周波数帯域毎に、オーディオデータのレベルを、予め設定された情報もしくは再生操作受付部１０１２を介してユーザより受け付けた指示に従い調整する。イコライザ部１０６は、レベル調整されたオーディオデータをＤ／Ａ変換部１０７に出力し、Ｄ／Ａ変換部１０７は、イコライザ部１０６から入力されたオーディオデータをアナログオーディオ信号に変換してオーディオ出力部１０８から出力する。
【００３５】
つぎに、オーディオ装置１の可聴範囲検出試験を説明する。図２は、オーディオ装置１の可聴範囲検出試験を説明するためのフロー図である。このフローは、主制御部１１０が、操作受付部１０１の試験操作受付部１０１３を介してユーザから可聴範囲検出試験の開始操作を受け付けることにより開始される。
【００３６】
まず、試験操作受付部１０１３は、ユーザが聴き取り可能な最大周波数および最小周波数のいずれを検出するのかについてユーザから指定を受け付けて、その指定内容を主制御部１１０に通知する（Ｓ１００）。主制御部１１０は、試験操作受付部１０１３を介してユーザから最大周波数の検出を指定されると（Ｓ１００で「最大周波数」）、可聴範囲検出試験部１０９に最大周波数の検出を指示して、Ｓ１０１に進む。一方、試験操作受付部１０１３を介してユーザから最小周波数の検出を指定されると（Ｓ１００で「最小周波数」）、可聴範囲検出試験部１０９に最小周波数の検出を指示して、Ｓ１１１に進む。
【００３７】
Ｓ１０１において、可聴範囲検出試験部１０９は、周波数パラメータＦｍａｘに、予め定められた最大試験周波数（例えば、ＣＤ−ＤＡ等のオーディデータで採用される可聴周波数帯域の最大値（例えば２０ｋＨｚ））を設定する。つぎに、可聴範囲検出試験部１０９は、周波数パラメータＦｍａｘに設定された周波数の試験用オーディオデータを生成して、Ｄ／Ａ変換部１０７に出力する。Ｄ／Ａ変換部１０７は、可聴範囲検出試験部１０９から入力された試験用オーディオデータをアナログオーディオ信号（試験用オーディオ信号）に変換して、オーディオ出力部１０８から出力する（Ｓ１０２）。
【００３８】
それから、可聴範囲検出試験部１０９は、試験操作受付部１０１３を介してユーザから、試験用オーディオ信号を聴き取れたことを示す聴取確認の操作がなされるのを待つ。そして、所定時間（例えば１０秒）以内に聴取確認の操作がなされなかったならば（Ｓ１０３でＮＯ）、可聴範囲検出試験部１０９は、現在の周波数パラメータＦｍａｘの設定値から所定周波数ΔＦ（例えば１ｋＨｚ）だけダウンした周波数を、新たに周波数パラメータＦｍａｘに設定する（Ｓ１０４）。そして、Ｓ１０２に戻る。一方、所定時間以内に聴取確認の操作がなされたならば（Ｓ１０３でＹＥＳ）、そのときの周波数パラメータＦｍａｘの設定値を、ユーザが聴き取り可能な最大周波数に設定する（Ｓ１０５）。そして、この最大周波数を主制御部１１０に通知する。
【００３９】
これを受けて、主制御部１１０は、プロファイル情報記憶部１０２に、この最大周波数を含むユーザプロファイル情報を記憶する。すでにユーザプロファイル情報が記憶されている場合、このユーザプロファイル情報に最大周波数が含まれていなければ、このユーザプロファイル情報にこの最大周波数を追加し、このユーザプロファイル情報に最大周波数が含まれていれば、このユーザプロファイル情報に含まれている最大周波数を、新たに設定した最大周波数に更新する（Ｓ１０６）。
【００４０】
Ｓ１１１において、可聴範囲検出試験部１０９は、周波数パラメータＦｍｉｎに、予め最大試験周波数よりも小さく定められた最小試験周波数（例えば、ＣＤ−ＤＡ等のオーディデータで採用される可聴周波数帯域の最小値（例えば２０Ｈｚ））を設定する。つぎに、可聴範囲検出試験部１０９は、周波数パラメータＦｍｉｎに設定された周波数の試験用オーディオデータを生成して、Ｄ／Ａ変換部１０７に出力する。Ｄ／Ａ変換部１０７は、可聴範囲検出試験部１０９から入力された試験用オーディオデータをアナログオーディオ信号（試験用オーディオ信号）に変換して、オーディオ出力部１０８から出力する（Ｓ１１２）。
【００４１】
それから、可聴範囲検出試験部１０９は、試験操作受付部１０１３を介してユーザから、試験用オーディオ信号を聴き取れたことを示す聴取確認の操作がなされるのを待つ。そして、所定時間（例えば１０秒）以内に聴取確認の操作がなされなかったならば（Ｓ１１３でＮＯ）、可聴範囲検出試験部１０９は、現在の周波数パラメータＦｍｉｎの設定値から所定周波数ΔＦ’（例えば１Ｈｚ）だけアップした周波数を、新たに周波数パラメータＦｍｉｎに設定する（Ｓ１１４）。そして、Ｓ１１２に戻る。一方、所定時間以内に聴取確認の操作がなされたならば（Ｓ１１３でＹＥＳ）、そのときの周波数パラメータＦｍｉｎの設定値を、ユーザが聴き取り可能な最小周波数に設定する（Ｓ１１５）。そして、この最小周波数を主制御部１１０に通知する。
【００４２】
これを受けて、主制御部１１０は、プロファイル情報記憶部１０２に、この最小周波数を含むユーザプロファイル情報を記憶する。すでにユーザプロファイル情報が記憶されている場合、このユーザプロファイル情報に最小周波数が含まれていなければ、このユーザプロファイル情報にこの最小周波数を追加し、このユーザプロファイル情報に最小周波数が含まれていれば、このユーザプロファイル情報に含まれている最小周波数を、新たに設定した最小周波数に更新する（Ｓ１０６）。
【００４３】
以上、本発明の第一実施の形態について説明した。
【００４４】
本実施の形態において、オーディオ入力部１０３に入力されたオーディオデータは、フィルタ部１０４により、ユーザが聴き取り可能な最大周波数より高い周波数の帯域およびユーザが聴き取り可能な最小周波数より低い周波数の帯域の少なくとも一方の帯域がカットされて、オーディオ記憶部１００に記憶される。このため、ユーザに音質低下を感じさせることなくオーディオデータを圧縮してオーディオ記憶部１００に記憶できるので、より多くの楽曲のオーディオデータをオーディオ記憶部１００に記憶することが可能となり、したがって、オーディオ記憶部１００の記憶容量を効率的に活用することができる。
【００４５】
また、本実施の形態において、オーディオ記憶部１００から読み出されたオーディオデータは、フィルタ部１０４により、ユーザが聴き取り可能な最大周波数より高い周波数およびユーザが聴き取り可能な最小周波数より低い周波数の帯域がカットされて、オーディオ記憶部１００に書き戻される。このため、オーディオ記憶部１００に記憶されているオーディオデータをより圧縮されたものに更新することができるので、オーディオ記憶部１００の記憶容量をさらに効率的に活用することができる。
【００４６】
また、本実施の形態において、可聴範囲検出試験部１０９は、最大試験周波数として定められた周波数（例えば可聴周波数帯域の最大値）から周波数を徐々にダウンしながら試験用オーディオ信号を出力して、ユーザに対して試験用オーディオ信号の聴取確認を行うことにより、ユーザが聴き取り可能な最大周波数を検出する。また、最小試験周波数として定められた周波数（例えば可聴周波数帯域の最小値）から周波数を徐々にアップしながら試験用オーディオ信号を出力して、ユーザから試験用オーディオ信号の聴取確認を行うことにより、ユーザが聴き取り可能な最小周波数を検出する。このため、ユーザが聴き取り可能な最大周波数および最小周波数を精度よく検出して、ユーザプロファイル情報に登録することができる。
【００４７】
また、本実施の形態において、イコライザ部１０６は、ユーザプロファイル情報に含まれている二つの周波数（ユーザが聴き取り可能な最大周波数および最小周波数）に従って設定される入力レンジの周波数帯域を所定数に分割することにより得られる周波数帯域毎に、再生対象のオーディオデータのレベルを調整する。このため、入力レンジの周波数帯域に、ユーザが聴き取り困難な周波数帯域が割り当てられるのを防止できるとともに、実際にユーザが聴き取り可能な周波数帯域の範囲内においてより細やかなレベル調整を行うことができる。
【００４８】
なお、本実施の形態において、オーディオ記憶部１００は、メモリカード等の取り外し可能な記憶媒体でもよい。また、ＮＡＳ（Ｎｅｔｗｏｒｋ  Ａｔｔａｃｈｅｄ  Ｓｔｏｒａｇｅ）等のネットワーク経由で接続されているものでもよい。
【００４９】
また、本実施の形態において、可聴範囲検出試験部１０９は、ユーザが聴き取り可能な最大周波数を検出するために周波数を徐々にダウンしながら試験用オーディオ信号を出力しているが、周波数を徐々にアップしながら試験用オーディオ信号を出力して、ユーザに対して試験用オーディオ信号の聴取確認を行うことにより、ユーザが聴き取り可能な最大周波数を検出してもよい。また、周波数を徐々にダウンしながら試験用オーディオ信号を出力して、ユーザから試験用オーディオ信号の聴取確認を行うことにより、ユーザが聴き取り可能な最小周波数を検出してもよい。
【００５０】
また、本実施の形態において、図１に示すオーディオ装置１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）、マイクロコンピュータなどの計算機によりソフトウエア的に実現されるものでもよい。または、ＣＰＵ、メモリ、およびＨＤＤ、ＤＶＤ−ＲＯＭ等の補助記憶装置を備えたＰＣ、ＰＤＡ、スマートホン等のコンピュータシステムにおいて、ＣＰＵが所定のプログラムを補助記憶装置からメモリ上にロードして実行することにより実現されるものでもよい。
【００５１】
［第二実施の形態］
図３は、本発明の第二実施の形態に係るオーディオ装置２の概略機能構成図である。
【００５２】
図示するように、本実施の形態に係るオーディオ装置２は、オーディオ記憶部２００と、ネットワークＩＦ部２０１と、操作受付部２０２と、プロファイル情報記憶部２０３と、コーデック部２０５と、フィルタ部２０４と、可聴範囲検出試験部２０６と、主制御部２０７と、を備えて構成される。
【００５３】
オーディオ記憶部２００には、コーデック部２０５によりエンコードされたオーディオデータが記憶される。
【００５４】
ネットワークＩＦ部２０１は、無線ＬＡＮ等のネットワークを介して、ネットワークスピーカ、ＰＣ、携帯端末等のオーディオ再生機能を有するネットワーク端末と通信するためのインターフェースである。
【００５５】
操作受付部２０２は、ネットワークＩＦ部２０１を介してネットワーク端末のユーザから各種操作を受け付ける。図示するように、操作受付部２０２は、オーディオ記憶部２００へのオーディオデータの記憶操作を受け付ける記憶操作受付部２０２０と、オーディオ記憶部２００に記憶されているオーディオデータの再生操作を受け付ける再生操作受付部２０２１と、後述の可聴範囲検出試験の操作を受け付ける試験操作受付部２０２２と、を有する。
【００５６】
プロファイル情報記憶部２０３には、ネットワーク端末のユーザ毎に、ユーザが聴き取り可能な最大周波数および最小周波数の少なくとも一方を含むユーザプロファイル情報が記憶される。
【００５７】
コーデック部２０５は、ネットワークＩＦ部２０１を介してネットワーク端末より受け取ったオーディオデータをエンコードする。また、オーディオ記憶部２００より読み出されたエンコード済みのオーディオデータをデコードする。
【００５８】
フィルタ部２０４は、主制御部２０７より通知されたユーザに対応付けられてプロファイル情報記憶部２０３に記憶されているユーザプロファイル情報に従い、コーデック部２０５によりデコードされた処理対象のオーディオデータをフィルタリングして、このオーディオデータから所望の周波数帯域をカットする。
【００５９】
可聴範囲検出試験部２０６は、後述の可聴範囲検出試験を行って、ユーザが聴き取り可能な最大周波数および最小周波数の少なくとも一方を検出する。
【００６０】
そして、主制御部２０７は、オーディオ装置２の各部２００〜２０６を統括的に制御する。
【００６１】
つぎに、上記構成のオーディオ装置２の動作を説明する。
【００６２】
まず、オーディオデータの記憶処理の動作を説明する。この動作は、操作受付部２０２の記憶操作受付部２０２０が、ネットワークＩＦ部２０１を介してネットワーク端末から記憶操作を受け付けて、これを主制御部２０７に通知することにより開始される。
【００６３】
まず、主制御部２０７は、ネットワークＩＦ部２０１を介して、記憶操作の送信元のネットワーク端末に記憶対象のオーディオデータの送信要求を送信する。つぎに、コーデック部２０５は、ネットワークＩＦ部２０１を介して、ネットワーク端末からオーディオデータを受信すると、このオーディオデータをエンコードして、主制御部２０７に出力する。これを受けて、主制御部２０７は、コーデック部２０５から受け取ったエンコード済みのオーディオデータをオーディオ記憶部２００に記憶する。
【００６４】
つぎに、オーディオデータの再生処理の動作を説明する。この動作は、操作受付部２０２の再生操作受付部２０２１が、ネットワークＩＦ部２０１を介してネットワーク端末から、ネットワーク端末のユーザおよびオーディオ記憶部２００に記憶されているエンコード済みのオーディオデータの指定を伴う再生操作を受け付けて、これを主制御部２０７に通知することにより開始される。
【００６５】
まず、主制御部２０７は、再生操作で指定されたエンコード済みのオーディオデータをオーディオ記憶部２００から読み出してコーデック部２０５に渡す。また、主制御部２０７は、再生操作で指定されたユーザをフィルタ部２０４に通知するとともに、再生操作の送信元のネットワーク端末をネットワークＩＦ部２０１に通知する。コーデック部２０５は、主制御部２０７から受け取ったエンコード済みのオーディオデータをデコードして、フィルタ部２０４に渡す。フィルタ部２０４は、コーデック部２０５からデコードされたオーディオデータを受け取ると、主制御部２０７から通知されたユーザに対応付けられてプロファイル情報記憶部２０３に記憶されているユーザプロファイル情報に従い、このオーディオデータをフィルタリングする。具体的には、ユーザが聴き取り可能な最大周波数がユーザプロファイル情報に含まれているならば、コーデック部２０５によりデコードされたオーディオデータから、この最大周波数より高い周波数帯域をカットする。また、ユーザが聴き取り可能な最小周波数がユーザプロファイル情報に含まれているならば、コーデック部２０５によりデコードされたオーディオデータから、この最小周波数より低い周波数帯域をカットする。フィルタ部２０４は、フィルタリング済みのオーディオデータをネットワークＩＦ部２０１に出力し、ネットワークＩＦ部２０１は、フィルタ部２０４からオーディオデータを受け取ると、このオーディオデータを主制御部２０７から通知されたネットワーク端末に送信する。
【００６６】
つぎに、オーディオ装置２の可聴範囲検出試験を説明する。図４は、オーディオ装置２の可聴範囲検出試験を説明するためのフロー図である。このフローは、操作受付部２０２の試験操作受付部２０２２が、ネットワークＩＦ部２０１を介してネットワーク端末から可聴範囲検出試験の開始操作を受け付けて、これを主制御部２０７に通知することにより開始される。
【００６７】
まず、試験操作受付部２０２２は、ネットワークＩＦ部２０１を介してネットワーク端末より、ユーザが聴き取り可能な最大周波数および最小周波数のいずれを検出するのかについての指定を、ユーザの指定とともに受け付けて、その指定内容を主制御部２０７に通知する（Ｓ２００）。主制御部２０７は、試験操作受付部２０２２から最大周波数の検出を通知されると（Ｓ２００で「最大周波数」）、可聴範囲検出試験部２０６に最大周波数の検出を指示して、Ｓ２０１に進む。一方、試験操作受付部２０２２から最小周波数の検出を通知されると（Ｓ２００で「最小周波数」）、可聴範囲検出試験部２０６に最小周波数の検出を指示して、Ｓ２１１に進む。
【００６８】
Ｓ２０１において、可聴範囲検出試験部２０６は、周波数パラメータＦｍａｘを、予め定められた最大試験周波数（例えば、ＣＤ−ＤＡ等のオーディデータで採用される可聴周波数帯域の最大値（例えば２０ｋＨｚ））に設定する。つぎに、可聴範囲検出試験部２０６は、周波数パラメータＦｍａｘに設定された周波数の試験用オーディオデータを生成して、ネットワークＩＦ部２０１に出力する。ネットワークＩＦ部２０１は、可聴範囲検出試験部２０６から入力された試験用オーディオデータを、可聴範囲検出試験の開始操作の送信元であるネットワーク端末に送信する（Ｓ２０２）。
【００６９】
それから、可聴範囲検出試験部２０６は、試験操作受付部２０２２およびネットワークＩＦ部２０１を介してネットワーク端末から、試験用オーディオ信号を聴き取れたことを示す聴取確認を受け付けるのを待つ。そして、所定時間（例えば１０秒）以内に聴取確認を受け付けなかったならば（Ｓ２０３でＮＯ）、可聴範囲検出試験部２０６は、現在の周波数パラメータＦｍａｘの設定値から所定周波数ΔＦ（例えば１ｋＨｚ）だけダウンした周波数を、新たに周波数パラメータＦｍａｘに設定する（Ｓ２０４）。そして、Ｓ２０２に戻る。一方、所定時間以内に聴取確認を受け付けたならば（Ｓ２０３でＹＥＳ）、そのときの周波数パラメータＦｍａｘの設定値を、ユーザが聴き取り可能な最大周波数に設定する（Ｓ２０５）。そして、この最大周波数を主制御部２０７に通知する。
【００７０】
これを受けて、主制御部２０７は、プロファイル情報記憶部２０３に、この最大周波数を含むユーザプロファイル情報を、指定されたユーザに対応付けて記憶する。指定されたユーザに対応付けられたユーザプロファイル情報がすでに記憶されている場合、このユーザプロファイル情報に最大周波数が含まれていなければ、このユーザプロファイル情報にこの最大周波数を追加し、このユーザプロファイル情報に最大周波数が含まれていれば、このユーザプロファイル情報に含まれている最大周波数を、新たに設定した最大周波数に更新する（Ｓ２０６）。
【００７１】
Ｓ２１１において、可聴範囲検出試験部２０６は、周波数パラメータＦｍｉｎに、予め最大試験周波数よりも小さく定められた最小試験周波数(例えば、ＣＤ−ＤＡ等のオーディデータで採用される可聴周波数帯域の最小値（例えば２０Ｈｚ）)を設定する。つぎに、可聴範囲検出試験部２０６は、周波数パラメータＦｍｉｎに設定された周波数の試験用オーディオデータを生成して、ネットワークＩＦ部２０１に出力する。ネットワークＩＦ部２０１は、可聴範囲検出試験部２０６から入力された試験用オーディオデータを、可聴範囲検出試験の開始操作の送信元であるネットワーク端末に送信する（Ｓ２１２）。
【００７２】
それから、可聴範囲検出試験部２０６は、試験操作受付部２０２２およびネットワークＩＦ部２０１を介してネットワーク端末から、試験用オーディオ信号を聴き取れたことを示す聴取確認を受け付けるのを待つ。そして、所定時間（例えば１０秒）以内に聴取確認を受け付けなかったならば（Ｓ２１３でＮＯ）、可聴範囲検出試験部２０６は、現在の周波数パラメータＦｍｉｎの設定値から所定周波数ΔＦ’（例えば１Ｈｚ）だけアップした周波数を、新たに周波数パラメータＦｍｉｎに設定する（Ｓ２１４）。そして、Ｓ２１２に戻る。一方、所定時間以内に聴取確認を受け付けたならば（Ｓ２１３でＹＥＳ）、そのときの周波数パラメータＦｍｉｎの設置値を、ユーザが聴き取り可能な最小周波数に設定する（Ｓ２１５）。そして、この最小周波数を主制御部２０７に通知する。
【００７３】
これを受けて、主制御部２０７は、プロファイル情報記憶部２０３に、この最小周波数を含むユーザプロファイル情報を、指定されたユーザに対応付けて記憶する。指定されたユーザに対応付けられたユーザプロファイル情報がすでに記憶されている場合、このユーザプロファイル情報に最小周波数が含まれていなければ、このユーザプロファイル情報にこの最小周波数を追加し、このユーザプロファイル情報に最小周波数が含まれていれば、このユーザプロファイル情報に含まれている最小周波数を、新たに設定した最小周波数に更新する（Ｓ２０６）。
【００７４】
以上、本発明の第二実施の形態について説明した。
【００７５】
本実施の形態において、ネットワーク端末の指示に従いオーディオ記憶部２００から読み出されたオーディオデータは、フィルタ部２０４により、このネットワーク端末のユーザが聴き取り可能な最大周波数より高い周波数の帯域およびユーザが聴き取り可能な最小周波数より低い周波数の帯域の少なくとも一方の帯域がカットされて、このネットワーク端末に送信される。このため、ユーザに音質低下を感じさせることなくオーディオデータを圧縮してネットワーク経由でユーザのネットワーク端末に送信できるので、オーディオデータの送信によりネットワークの通信帯域が圧迫される可能性を低減でき、したがって、オーディオデータの送信に利用するネットワークの通信帯域を効率的に活用することができる。
【００７６】
また、本実施の形態において、可聴範囲検出試験部２０６は、最大試験周波数として定められた周波数（例えば可聴周波数帯域の最大値）から周波数を徐々にダウンしながら試験用オーディオ信号をネットワーク端末に送信して、ネットワーク端末から試験用オーディオ信号の聴取確認を受け付けることにより、このネットワーク端末のユーザが聴き取り可能な最大周波数を検出する。また、最小試験周波数として定められた周波数（例えば可聴周波数帯域の最小値）から周波数を徐々にアップしながら試験用オーディオ信号をネットワーク端末に送信して、ネットワーク端末から試験用オーディオ信号の聴取確認を受け付けることにより、このネットワーク端末のユーザが聴き取り可能な最小周波数を検出する。このため、ネットワーク端末のユーザ毎に、ユーザが聴き取り可能な最大周波数および最小周波数を精度よく検出して、ユーザプロファイル情報に登録することができる。
【００７７】
なお、本実施の形態において、オーディオ記憶部２００は、メモリカード等の取り外し可能な記憶媒体でもよい。また、ＮＡＳ（Ｎｅｔｗｏｒｋ  Ａｔｔａｃｈｅｄ  Ｓｔｏｒａｇｅ）等のネットワーク経由で接続されているものでもよい。
【００７８】
また、本実施の形態において、可聴範囲検出試験部２０６は、ユーザが聴き取り可能な最大周波数を検出するために周波数を徐々にダウンしながら試験用オーディオ信号を出力しているが、周波数を徐々にアップしながら試験用オーディオ信号をネットワーク端末に送信して、ネットワーク端末から試験用オーディオ信号の聴取確認を受け付けることにより、このネットワーク端末のユーザが聴き取り可能な最大周波数を検出してもよい。また、周波数を徐々にダウンしながら試験用オーディオ信号をネットワーク端末に送信して、ネットワーク端末から試験用オーディオ信号の聴取確認を受け付けることにより、このネットワーク端末のユーザが聴き取り可能な最小周波数を検出してもよい。
【００７９】
また、本実施の形態において、図３に示すオーディオ装置２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）、マイクロコンピュータなどの計算機によりソフトウエア的に実現されるものでもよい。または、ＣＰＵ、メモリ、およびＨＤＤ、ＤＶＤ−ＲＯＭ等の補助記憶装置を備えたＰＣ、ＰＤＡ、スマートホン等のコンピュータシステムにおいて、ＣＰＵが所定のプログラムを補助記憶装置からメモリ上にロードして実行することにより実現されるものでもよい。
【符号の説明】
【００８０】
１、２：オーディオ装置、  １００、２００：オーディオ記憶部、  １０１、２０２：操作受付部、  １０２、２０３：プロファイル情報記憶部、  １０３：オーディオ入力部、  １０４、２０４：フィルタ部、  １０５、２０５：コーデック部、  １０６：イコライザ部、  １０７：Ｄ／Ａ変換部、  １０８：オーディオ出力部、  １０９、２０６：可聴範囲検出試験部、  １１０、２０７：主制御部、  ２０１：ネットワークＩＦ部、  １０１０、２０２０：記憶操作受付部、  １０１１：更新操作受付部、  １０１２、２０２１：再生操作受付部、  １０１３、２０２２：試験操作受付部
【図１】
0006454514.tif 000002
【図２】
0006454514.tif 000003
【図３】
0006454514.tif 000004
【図４】
0006454514.tif 000005